(57)【特許請求の範囲】
【請求項１】
ガラスバルブ内に不活性ガス、金属蒸気等の放電ガスを封入した無電極放電灯と、該無電極放電灯の外部に近接して配置したコイル部と２本のリード部を有する誘導コイルと、該誘導コイルに接続され高周波電力を誘導コイルに供給する高周波電源回路を有する無電極放電灯装置において、前記誘導コイルの２本のリード部に一括して貫通するフェライトコアを設けたことを特徴とする無電極放電灯装置。
【請求項２】
前記誘導コイルのリード部をツイストすることにより構成するようにしたことを特徴とする請求項１記載の無電極放電灯装置。
【請求項３】
前記誘導コイルのリード部の周囲に、多数の金属素線を網目状あるいは編組状に形成した導体を形成し、該導体を前記高周波電源回路の接地側と高周波的に同電位とすることにより構成するようにしたことを特徴とする請求項１記載の無電極放電灯装置。
【発明の詳細な説明】
【０００１】
【発明の属する技術分野】
本発明は、ガラスバルブ内に主電極を有せず、高周波電源回路からの高周波電力を誘導コイルに供給することにより発生する高周波電磁界を利用して発光させる無電極放電灯装置に関するものである。
【０００２】
【従来の技術】
従来、この種の無電極放電灯装置には、誘導コイル２がガラスバルブ１の内部にある構造のものとしては、例えば本願出願人が先きに出願した特願平９−１０６３３２号に記載したようなものがあり、図１８に示すような構成になっている。高周波電源回路８からケーブル７を通ってベース部５内の整合回路６に高周波電流が流れる。点灯時に誘導コイル２（コイル部２ａ、リード部２ｂからなる）と無電極放電灯Ｌに整合するような回路が整合回路６上に設定されている。整合回路６から誘導コイル２に高周波電流が流れ込むと、誘導コイル２から高周波電磁界が発生し、ガラスバルブ１内に放電プラズマ４が形成される。そして、放電プラズマ４である低圧水銀が紫外線を放射し、蛍光体９により紫外線が可視光に変換されて無電極放電灯Ｌは点灯状態になる。
【０００３】
ここで、本無電極放電灯装置では、無電極放電灯Ｌにおいて、誘導コイル２には高周波電流が流れており、誘導コイル２のコイル部２ａ及びリード部２ｂからノイズが発生するが、ガラスバルブ１のくぼみｋに誘導コイル２を設置しており、誘導コイル２がガラスバルブ１の内部にあり、良好な熱伝導性を持ち、かつ高周波電源回路８の接地側と同電位のガラスバルブ１のくぼみｋの奥側に開口を有する金属筒状体３がガラスバルブ１と誘導コイル２との間に挿入されており、誘導コイル２からのノイズを低減することが可能である。さらに、金属筒状体３と誘導コイル２とを密着させる手段や誘導コイル２のリード部２ｂをツイストする手段等により誘導コイル２のリード部２ｂからのノイズを低減することが可能である。
【０００４】
一方、誘導コイル２がガラスバルブ１の外部にある構造の無電極放電灯装置の従来例を示すものとして、特開平２−１７０３４１号公報に記載されているものがある。本無電極放電灯装置では、図１９に示すように、ガラスバルブ１及び誘導コイル２の周囲全体を覆うように金網３０が設置されているので、誘導コイル２からのノイズを全体的に低減することができる。
【０００５】
【発明が解決しようとする課題】
しかしながら、上述のような誘導コイル２がガラスバルブ１の外部にある構造の無電極放電灯装置においては、ノイズ低減のためにガラスバルブ１及び誘導コイル２の周囲全体を覆うように金網３０を設置すると、装置の大型化につながる。また、この構造の無電極放電灯装置において、図１８で示した例のようなノイズ低減のための金属筒状体３を誘導コイル２の外部に設置することは、光束が大幅に低下するのでできないという問題があった。
【０００６】
本発明は、上記の点に鑑みてなしたものであり、その目的とするところは、誘導コイルがガラスバルブの外部にある構造の無電極放電灯装置にあって、簡単な構成で誘導コイルから発生するノイズを低減することのできる無電極放電灯装置を提供することにある。
【０００７】
【課題を解決するための手段】
請求項１記載の発明は、ガラスバルブ内に不活性ガス、金属蒸気等の放電ガスを封入した無電極放電灯と、該無電極放電灯の外部に近接して配置したコイル部と２本のリード部を有する誘導コイルと、該誘導コイルに接続され高周波電力を誘導コイルに供給する高周波電源回路を有する無電極放電灯装置において、前記誘導コイルの２本のリード部に一括して貫通するフェライトコアを設けたことを特徴とする。
【０００８】
請求項２記載の発明は、請求項１記載の発明において、前記誘導コイルのリード部をツイストすることにより構成するようにしたことを特徴とする。
【０００９】
請求項３記載の発明は、請求項１記載の発明において、前記誘導コイルのリード部の周囲に、多数の金属素線を網目状あるいは編組状に形成した導体を形成し、該導体を前記高周波電源回路の接地側と高周波的に同電位とすることにより構成するようにしたことを特徴とする請求項１記載の無電極放電灯装置。
【００１６】
【発明の実施の形態】
以下、本発明の実施形態の一例を図面に基づき説明する。図１は本発明の第１の参考例を示す概略構成図である。本参考例の無電極放電灯装置は、ガラスバルブ１内に不活性ガス、金属蒸気等の放電ガスを封入した無電極放電灯Ｌと、無電極放電灯Ｌの外部に近接して配置されたコイル部２ａとリード部２ｂを有する誘導コイル２と、誘導コイル２に接続され高周波電力を誘導コイル２に供給するベース部５に収納された高周波電源回路８を有している。誘導コイル２からのノイズを防止するためのノイズ防止手段として、誘導コイル２のリード部２ｂをツイストさせる構成としている。
【００１７】
本参考例によれば、高周波電源回路８から誘導コイル２に高周波電流が流れ込むことにより、誘導コイル２から発生する高周波電磁界を利用して無電極放電灯Ｌを発光させているが、この時に誘導コイル２のコイル部２ａとリード部２ｂからガラスバルブ１の外部に発生するノイズを、リード部２ｂをツイストさせるこ
とにより低減させるのである。つまり、リード部２ｂをツイストさせることにより数多くのループ部分が形成されるので、リード部２ｂから放射されるノイズを低減できる。また、外部からのノイズの影響も受け難くなる。
【００１８】
図２は本発明の第１の実施形態に係る無電極放電灯装置の概略構成図であり、本実施形態では、誘導コイル２のリード部２ｂをフェライトコア１０に貫通
させるようにすることにより、ノイズを防止するノイズ防止手段をなしている。
【００１９】
本実施形態によれば、誘導コイル２のリード部２ｂをフェライトコア１０に貫通させることにより、簡単な構成でリード部２ｂから放射されるノイズを低減できる。
【００２０】
図３は本発明の第２の参考例に係る無電極放電灯装置の概略構成図であり、本参考例では、誘導コイル２のリード部２ｂの周囲を銅、アルミ箔または鉄パイプのような円筒状金属体等の導体１１でシールドし、導体１１をネジ止め等により金属製のベース部５に固定することにより、ノイズ防止手段をなしている。なお、誘導コイル２の一端とベース部５とをコンデンサＣを介して接続することにより、図４に示すように、ベース部５が高周波電源回路８の接地側と高周波的に同電位となるようにしている。
【００２１】
本参考例においても、簡単な構成でリード部２ｂから放射されるノイズを低減できる。
【００２２】
図５は本発明の第２の実施形態に係る無電極放電灯装置の概略構成図であり、本実施形態は、上述の第１の実施形態及び参考例のノイズ防止手段をすべて取
り入れたものであり、導体１１としては網目状の金属素線を使用している。即ち、
リード部２ｂをツイストすると共にリード部２ｂの周囲に多数の金属素線を網目状に形成した導体１１を形成し、該導体１１を前記高周波電源回路の接地側と高周波的に同電位としている。
【００２３】
本実施形態によれば、３つのノイズ防止手段を備えることにより、個々のノイズ防止手段だけを使用した場合に比べて、リード部２ｂから放射されるノイズの低減効果が向上する。
【００２４】
図６は本発明の第３の参考例に係る無電極放電灯装置の概略構成図であり、本参考例では、誘導コイル２の２本のリード部２ｂの各々に内部導体１２ａとシールド１２ｂを有する同軸ケーブル１２を用いたものである。各同軸ケーブル１２の内部導体１２ａをコイル部２ａに接続し、シールド１２ｂをベース部５に接
続し、同電位としている。また、誘導コイル２の一端とベース部５とをコンデンサＣを介して接続するようにしている。
【００２５】
本参考例によれば、誘導コイル２の２本のリード部２ｂの各々に内部導体１２ａとシールド１２ｂを有する同軸ケーブル１２を用いることにより、簡単な構成でリード部２ｂから放射されるノイズを低減できる。
【００２６】
図７は本発明の第４の参考例に係る無電極放電灯装置の概略構成図であり、本参考例では、誘導コイル２の２本のリード部２ｂとして１本の３重同軸ケーブル１３を用いたものである。同軸ケーブル１３は内部導体１３ａ、外部導体１３ｂ及びシールド１３ｃを有してなる。同軸ケーブル１３の内部導体１３ａをコイル部２ａの一端に接続し、外部導体１３ｂをコイル部２ａの他端に接続し、シールド１３ｂをベース部５に接続し、同電位としている。また、誘導コイル２の一端とベース部５とをコンデンサＣを介して接続するようにしている。
【００２７】
本実施形態によれば、誘導コイル２のリード部２ｂに内部導体１３ａ、外部導体１３ｂ及びシールド１３ｃを有する３重同軸ケーブル１３を用いることにより、簡単な構成でリード部２ｂから放射されるノイズを低減できる。
【００２８】
図８は本発明の第５の参考例に係る無電極放電灯装置の概略構成図であり、本参考例では、誘導コイル２のリード部２ｂに、図３で示したような導体１１を施すことによりノイズ防止手段をなし、さらに、無電極放電灯Ｌ及び誘導コイル２の周囲に、柔軟性を有する金網２０を設け、この金網２０をベース部５にネジ
止め等により接続し、ベース部５と高周波電源回路８の接地側とをコンデンサＣを介して接続することにより、金網２０を高周波電源回路８の接地側と高周波的に同電位とし、さらに、誘導コイル２の導体部と金網２０との間に、誘導コイル２（中心部の導体部と絶縁体被覆部とからなる）の導体部の直径以上の距離を確保するための非金属体２１よりなる近接防止手段を設けている。
【００２９】
本参考例によれば、無電極放電灯Ｌ及び誘導コイル２の周囲に、柔軟性を有する金網２０を設け、金網２０を高周波電源回路８の接地側と高周波的に同電位としたので、リード部２ｂから放射されるノイズの低減効果をさらに高めることができる。また、近接防止手段２１により、誘導コイル２の導体部と金網２０と
の間に、誘導コイル２の導体部の直径以上の距離を確保するようにしたので、柔軟性を有する金網２０が高周波電源回路８の動作に悪影響を及ぼすことはない。また、特開平２−１７０３４１号公報に記載されているシールド手段としての金網３０は、自己保持を可能にするために金網３０を構成する金属素線の直径をある程度大きくする必要があったが、本参考例では、柔軟性を有する金網２０を使用することにより、金網２０を構成する金属素線の直径を小さくすることができるので、無電極放電灯装置の光束の減衰を抑えることができる。
【００３０】
図９は本発明の第６の参考例に係る無電極放電灯装置の概略構成図であり、本参考例は、第５の参考例の無電極放電灯装置において、ノイズ防止手段をリード部２ｂのツイストにより構成し、誘導コイル２の導体部と金網２０との間に、誘導コイル２の導体部の直径以上の距離を確保するための近接防止手段として略透明の樹脂製カバー２２を使用したものである。無電極放電灯Ｌ及び誘導コイル２の周囲を樹脂製カバー２２で覆い、その周囲を柔軟性を有する金網２０で覆うようにしている。さらに、リング２３により柔軟性を有する金網２０を挟みネジ止め等でベース５に固定することにより、簡単にかつ確実に、ベース部５と金網２０とを同電位とすることができる。
【００３１】
図１０は本発明の第７の参考例に係る無電極放電灯装置の概略構成図であり、本参考例は、第５の参考例の無電極放電灯装置において、誘導コイル２の導体部と金網２０との間に、誘導コイル２の導体部の直径以上の距離を確保するための近接防止手段として、誘導コイル２の絶縁体被覆部の厚さＬを導体部の直径２ｒ以上とすることにより構成するようにしたものである。さらに、リング２４により柔軟性を有する金網２０を側方から挟みネジ止め等によりベース５に固定する
ことにより、簡単にかつ確実に、ベース部５と金網２０とを同電位とすることができる。
【００３２】
図１１は本発明の第８の参考例に係る無電極放電灯装置の概略構成図であり、本参考例は、第２の参考例の無電極放電灯装置において、誘導コイル２のコイル部２ａとガラスバルブ１との間に、図１２に示すような、銅、アルミニウム等の金属箔４０を、コイル部２ａと電気的に絶縁した状態でガラスバルブ１の外周に沿って略１周形成したものである。金属箔４０の一方の端部４１だけを一方のリード部２ｂに接続している。
【００３３】
本参考例では、図１３に示すような回路構成となり、高周波電源回路８の動作中にコイル部２ａで発生する電圧と金属箔４０で発生する電圧との位相差は略１８０°であるため、コイル部２ａに発生する電界は打ち消し合って減少し、コイル部２ａから発生する輻射ノイズが減少するという効果がある。
【００３４】
図１４は金属箔４０の他の例を示すものであり、スリット５２が形成された金属箔５０を用いる。端部５１だけが一方のリード部２ｂに接続される。この場合は、図１５に示すように、コイル部２ａを構成する各々の電線はスリット５２により分割された金属箔５０の各々に近接して配置される。金属箔４０の場合と比較して、コイル部２ａに発生する電界を打ち消し合う割合が大きく、コイル部２ａから発生する輻射ノイズはさらに減少するという効果がある。
【００３５】
図１６は金属箔４０の他の例を示すものであり、分割された金属箔６０と金属箔７０とで構成される。金属箔６０、７０の各々は、スリット６２、７２及び端部６１、７１が形成されている。図１７の回路構成に示すように、金属箔６０の端部６１は２本のリード部２ｂの内の一方のリード部２ｂに接続され、金属箔７０の端部７１は、他方のリード部２ｂに接続される。この場合にも金属箔５０を使用した場合と同様の効果を奏する。
【００３６】
【発明の効果】
以上のように、請求項１乃至請求項３記載の発明によれば、誘導コイルの２本のリード部に一括して貫通するフェライトコアを設けたので、簡単な構成でリード部から放射されるノイズを低減できる。
【００３８】
請求項７記載の発明によれば、請求項６記載の発明において、前記誘導コイルは導体部と絶縁体被覆部で構成され、前記シールド手段を柔軟性を有する金網で形成し、該金網と前記誘導コイルとの間に、誘導コイルの導体部の直径以上の距離を確保するための近接防止手段を設けるようにしたので、柔軟性を有する金網が高周波電源回路の動作に悪影響を及ぼすことはない。
【００３９】
請求項８記載の発明によれば、請求項１乃至請求項７のいずれかに記載の発明において、前記誘導コイルのコイル部と前記ガラスバルブとの間に、金属体をコイル部に沿うように近接して配置し、該金属体の一端を前記リード部に接続し、前記コイル部の両端電圧と前記金属体の両端電圧とが逆極性で変化するようにしたので、誘導コイルから発生するノイズの低減効果をさらに高めることができる。
【図面の簡単な説明】
【図１】本発明の第１の参考例に係る無電極放電灯装置を示す概略構成図である。
【図２】本発明の第１の実施形態に係る無電極放電灯装置を示す概略構成図である。
【図３】本発明の第２の参考例に係る無電極放電灯装置を示す概略構成図である。
【図４】同上に係る回路図である。
【図５】本発明の第２の実施形態に係る無電極放電灯装置を示す概略構成図である。
【図６】本発明の第３の参考例に係る無電極放電灯装置を示す概略構成図である。
【図７】本発明の第４の参考例に係る無電極放電灯装置を示す概略構成図である。
【図８】本発明の第５の参考例に係る無電極放電灯装置を示す概略構成図である。
【図９】本発明の第６の参考例に係る無電極放電灯装置を示す概略構成図である。
【図１０】本発明の第７の参考例に係る無電極放電灯装置を示す概略構成図である。
【図１１】本発明の第８の参考例に係る無電極放電灯装置を示す概略構成図である。
【図１２】同上に係る金属箔を示す概略構成図である。
【図１３】本発明の第８の参考例に係る無電極放電灯装置の回路図である。
【図１４】本発明の第８の参考例に係る金属箔の他の例を示す概略構成図である。
【図１５】同上の金属箔を使用した場合のコイル部との配置状態を示す模式図である。
【図１６】本発明の第８の参考例に係る金属箔のさらに他の例を示す概略構成図である。
【図１７】同上の金属箔を使用した場合の回路図である。
【図１８】先願に係る無電極放電灯装置を示す概略構成図である。
【図１９】従来の無電極放電灯装置を示す概略構成図である。
【符号の説明】
１  ガラスバルブ
２  誘導コイル
２ａ  コイル部
２ｂ  リード部
３  金属筒状体
４  放電プラズマ
５  ベース部
６  整合回路
７  ケーブル
８  高周波電源回路
９  蛍光体
１０  フェライトコア
１１  導体
１２  同軸ケーブル
１２ａ  内部導体
１２ｂ  シールド
１３  ３重同軸ケーブル
１３ａ  内部導体
１３ｂ  外部導体
１３ｃ  シールド
２０  金網
２１  近接防止手段
２２  樹脂製カバー
２３  リング
２４  リング
３０  金網
４０  金属箔
４１  端部
５０  金属箔
５１  端部
５２  スリット
６０  金属箔
６１  端部
６２  スリット
７０  金属箔
７１  端部
７２  スリット
Ｌ  無電極放電灯
ｋ  くぼみ
【図１】
0003613022.tif 000002
【図２】
0003613022.tif 000003
【図３】
0003613022.tif 000004
【図４】
0003613022.tif 000005
【図５】
0003613022.tif 000006
【図６】
0003613022.tif 000007
【図７】
0003613022.tif 000008
【図８】
0003613022.tif 000009
【図９】
0003613022.tif 000010
【図１０】
0003613022.tif 000011
【図１１】
0003613022.tif 000012
【図１２】
0003613022.tif 000013
【図１３】
0003613022.tif 000014
【図１４】
0003613022.tif 000015
【図１５】
0003613022.tif 000016
【図１６】
0003613022.tif 000017
【図１７】
0003613022.tif 000018
【図１８】
0003613022.tif 000019
【図１９】
0003613022.tif 000020